(57)【要約】【課題】  画素領域を露光する積分時間が変動する場合にも、電子シャッターノイズの発生を防止し得る固体撮像装置の駆動方法を提供する。【解決手段】  ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、同時に選択されるリセット動作行の数に関わらず、同時に選択されるリセット動作行とリセット動作用ダミー行１９ａ，１９ｂとの合計行数が一定となるように、該リセット動作用ダミー行１９ａ，１９ｂを選択する。【選択図】      図２
2005269098.tif 000002
【特許請求の範囲】
【請求項１】
ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、
同時に選択されるリセット動作行の数に関わらず、同時に選択されるリセット動作行とリセット動作用ダミー行との合計行数が一定となるように、該リセット動作用ダミー行を選択することを特徴とする固体撮像装置の駆動方法。
【請求項２】
ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、
同時に選択される読み出し動作行とリセット動作行の数に関わらず、読み出し動作行と、読み出し動作用ダミー行と、リセット動作行と、リセット動作用ダミー行との合計行数が一定となるように、該リセット動作用ダミー行を選択することを特徴とする固体撮像装置の駆動方法。
【請求項３】
ピクセルアレイ内で、リセット動作行と読み出し動作行とを積分時間に基づく行間隔を隔てて順次選択するローリングシャッター動作を行い、リセット動作行あるいは読み出し動作行を選択しないとき、リセット動作用ダミー行あるいは読み出し動作用ダミー行を選択する固体撮像装置の駆動方法であって、
リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しないことを特徴とする固体撮像装置の駆動方法。
【請求項４】
実ピクセルアレイと、ダミーアレイとを備えたピクセルアレイと、
前記ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する垂直走査タイミング制御回路と
を備えた固体撮像装置であって、
前記垂直走査タイミング制御回路は、同時に選択されるリセット動作行の数に関わらず、同時に選択されるリセット動作行とリセット動作用ダミー行との合計行数が一定となるように、該リセット動作用ダミー行を選択することを特徴とする固体撮像装置。
【請求項５】
前記垂直走査タイミング制御回路は、
同時に選択される読み出し動作行とリセット動作行の数に関わらず、読み出し動作行と、読み出し動作用ダミー行と、リセット動作行と、リセット動作用ダミー行との合計行数が一定となるように、該リセット動作用ダミー行を選択することを特徴とする請求項４記載の固体撮像装置。
【請求項６】
前記垂直走査タイミング制御回路は、
リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しないことを特徴とする請求項５記載の固体撮像装置。
【請求項７】
前記垂直走査タイミング制御回路は、
読み出し動作行を選択しないとき、読み出し動作用ダミー行を選択し、読み出し動作行を選択するとき、読み出し動作用ダミー行を選択せず、リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しないことを特徴とする請求項５記載の固体撮像装置。
【請求項８】
前記ダミーアレイは、１行の読み出し動作用ダミー行と、２行のリセット動作用ダミー行とを備え、
前記垂直走査タイミング制御回路は、前記読み出し動作用ダミー行及びリセット動作用ダミー行を選択するとき、同一のダミー行を連続して選択することを特徴とする請求項４乃至７のいずれか１項に記載の固体撮像装置。
【請求項９】
ピクセルアレイ内で、リセット動作行として選択されてから読み出し動作行として選択されるまでの間に取り込んだ信号を出力する固体撮像装置であって、
選択されるリセット動作行が存在しない場合に選択される複数のリセット動作用ダミー行を有することを特徴とする固体撮像装置。
【請求項１０】
ピクセルアレイ内で、リセット動作行として選択されてから読み出し動作行として選択されるまでの間に取り込んだ信号を出力する固体撮像装置であって、
選択されるリセット動作行が存在しない場合に選択されるリセット動作用ダミー行を備え、前記リセット動作用ダミー行を少なくとも同時に選択されるリセット動作行の最大行数分を有することを特徴とする固体撮像装置。
【発明の詳細な説明】
【技術分野】
【０００１】
この発明は、ＣＭＯＳイメージセンサ等を撮像素子とした固体撮像装置に関するものである。
ＸＹアドレス型の固体撮像装置では、多数の撮像素子がＸＹ方向に配列され、各撮像素子を垂直方向に走査することにより、被写体の撮像動作が行われる。この撮像動作は、リセット信号に基づいて各撮像素子の蓄積電荷をリセットした後、各撮像素子に蓄積される電荷を読み出し信号に基づいて読み出す電子シャッター動作により行われる。このような撮像動作時において、リセット信号と読み出し信号の入力タイミングに起因して撮像画面に輝度やコントラスト等の段差が水平方向に横帯状の電子シャッターノイズとして生じることが知られている。そして、この電子シャッターノイズの発生を抑制して、高画質な画像を安定して得ることが必要となっている。
【背景技術】
【０００２】
ＸＹアドレス型の固体撮像装置では、複数の垂直選択線と水平選択線とに接続される画素領域がマトリクス状に配列されて、ピクセルアレイが構成される。各画素領域には、フォトダイオード等の光電変換素子が形成される。
【０００３】
図３は、ピクセルアレイの一例を示す。各画素領域１にはフォトダイオード２が形成され、そのフォトダイオード２のカソードは、ＮチャネルＭＯＳトランジスタＴr1を介して、リセット電圧を供給する電源ＶDDに接続され、アノードには低電位側電源Ｖssが供給される。前記トランジスタＴr1のゲートにはリセット信号線ＲＳＴが接続される。
【０００４】
前記トランジスタＴr1のソースは、ＮチャネルＭＯＳトランジスタＴr2のゲートに接続され、同トランジスタＴr2のドレインは電源ＶDDに接続され、ソースはＮチャネルＭＯＳトランジスタＴr3を介して垂直選択線ＣＬに接続される。そして、前記トランジスタＴr3のゲートは水平選択線ＳＬＣＴに接続される。
【０００５】
このような撮像装置による撮像動作時には、リセット信号線ＲＳＴがリセット制御回路により順次選択される。すると、選択されたリセット信号線ＲＳＴに接続された画素領域１のトランジスタＴr1がオンされて、フォトダイオード１が電源ＶDDレベルのリセット電圧にリセットされ、フォトダイオード１への露光動作が開始される。フォトダイオード１は露光量に応じて放電動作を行う。
【０００６】
次いで、垂直走査シフトレジスタの動作に基づいて、水平選択線ＳＬＣＴが順次選択される。すると、選択された水平選択線ＳＬＣＴに接続されたトランジスタＴr3がオンされ，フォトダイオード２の充電電位に基づく画素データが垂直選択線ＣＬに読み出される。
【０００７】
垂直選択線ＣＬに読み出された画素データは、ピクセルアレイから１水平ライン分同時にコラム並列読み出し回路に読み出され、その画素データが水平走査シフトレジスタにより順次選択されて出力される。
【０００８】
上記のようなリセット信号線ＲＳＴの選択すなわちリセット動作行の選択と、水平選択線ＳＬＣＴの選択すなわち読み出し動作行の選択は並行して行われ、図４に示すように、リセット動作行Ｌ１と読み出し動作行Ｌ２とが、所定の行間隔Ｌすなわち所定の時間間隔を隔てた状態で順次移動するローリングシャッター動作が行われる。この時間間隔が各画素領域１内のフォトダイオード２の積分時間（露光時間）となる。
【０００９】
図５は、このようなローリングシャッター動作を行う撮像装置において、例えば画素領域１の総行数が６４０行であって、リセット動作ＡＣ１と読み出し動作ＡＣ２の行間隔Ｌが１００行、垂直ブランキング期間を４５行分としたときの動作を示す。
【００１０】
最初のフレームＦＬ１の撮像動作が開始されると、リセット信号線ＲＳＴを順次選択するリセット動作ＡＣ１が開始され、１００行分の時間ｔ１後に水平選択線ＳＬＣＴを順次選択する読み出し動作ＡＣ２が開始される。そして、時間ｔ２後にリセット動作ＡＣ１が終了し、さらに時間ｔ３後に読み出し動作ＡＣ２が終了する。さらに、４５行分の垂直ブランキング期間ｔ４が経過すると、最初のフレームＦＬ１の撮像動作が終了し、次のフレームＦＬ２のリセット動作ＡＣ１が開始される。
【００１１】
上記のような撮像動作では、各フレームにおいてまずリセット動作ＡＣ１のみが時間ｔ１で行われ、次いで時間ｔ２でリセット動作ＡＣ１と読み出し動作ＡＣ２が並行して行われ、次いで時間ｔ３で読み出し動作ＡＣ２のみが行われる。
【００１２】
すると、時間ｔ２では、時間ｔ１，ｔ３に対し、電源ＶDDに対する負荷が増大し、電源ＶDDレベルが低下することがある。そして、電源ＶDDの変動がリセット動作ＡＣ１あるいは読み出し動作ＡＣ２に影響を及ぼし、撮像画面上に横帯状の電子シャッターノイズが発生する。
【００１３】
このような不具合を解消するために、ピクセルアレイ内に複数行のダミー行を設け、そのダミー行に対しリセット動作あるいは読み出し動作を行って、電源ＶDDに対する負荷を平準化するようにした撮像装置が提案されている。
【００１４】
すなわち、図５に示すように、リセット動作ＡＣ１を行わない時間ｔ３，ｔ４では、ダミー行において１行ずつのリセット動作を行い、読み出し動作を行わない時間ｔ１，ｔ４では、ダミー行において１行ずつの読み出し動作を行う。
【００１５】
このような動作により、リセット動作及び読み出し動作を行う行数は常時１行ずつとなり、電源ＶDDに対する負荷が平準化される。従って、電源ＶDDの変動が抑制され、電子シャッターノイズの発生が防止される。
【００１６】
特許文献１，２には、リセット動作の終了後、読み出し動作が終了するまでは、ダミー行によりリセット動作を継続するようにした撮像装置が開示されている。
【特許文献１】特開２００１−８１０９号公報
【特許文献２】特開２０００−１２５２０３号公報
【発明の開示】
【発明が解決しようとする課題】
【００１７】
ところが、上記のような撮像装置では、撮像動作中に被写体の輝度が低下すると、各画素領域の積分時間を増大させる必要がある。図５に示すように、フレームＦＬ１〜ＦＬ３でリセット動作ＡＣ１と読み出し動作ＡＣ２との時間ｔ１が１００行分である状態から、積分時間を増大させると、フレームＦＬ４でリセット動作ＡＣ１と読み出し動作ＡＣ２との時間ｔ５が例えば５００行分となる。
【００１８】
このとき、一定周期の読み出し動作ＡＣ２に対し、リセット動作ＡＣ１が５００行分先行して行われることになり、フレームＦＬ３と同ＦＬ４のリセット動作ＡＣ１が並行して行われる時間ｔ５が発生する。
【００１９】
すると、時間ｔ５においては、２行ずつのリセット動作と、１行ずつの読み出し動作ＡＣ２とが並行して行われることになり、時間ｔ５において電源ＶDDに対する負荷が変動する。従って、フレームＦＬ３あるいは同ＦＬ４において撮像された画像に電子シャッターノイズが発生するという問題点がある。
【００２０】
この発明の目的は、画素領域を露光する積分時間が変動する場合にも、電子シャッターノイズの発生を防止し得る固体撮像装置の駆動方法を提供することにある。
【課題を解決するための手段】
【００２１】
上記目的は、ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、同時に選択されるリセット動作行の数に関わらず、同時に選択されるリセット動作行とリセット動作用ダミー行との合計行数が一定となるように、該リセット動作用ダミー行を選択する固体撮像装置の駆動方法によって達成される。
【００２２】
上記目的は、ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、同時に選択される読み出し動作行とリセット動作行の数に関わらず、読み出し動作行と、読み出し動作用ダミー行と、リセット動作行と、リセット動作用ダミー行との合計行数が一定となるように、該リセット動作用ダミー行を選択する固体撮像装置の駆動方法によって達成される。
【００２３】
上記目的は、ピクセルアレイ内で、リセット動作行と読み出し動作行とを積分時間に基づく行間隔を隔てて順次選択するローリングシャッター動作を行い、リセット動作行あるいは読み出し動作行を選択しないとき、リセット動作用ダミー行あるいは読み出し動作用ダミー行を選択する固体撮像装置の駆動方法であって、リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しない固体撮像装置の駆動方法によって達成される。
【００２４】
上記目的は、実ピクセルアレイと、ダミーアレイとを備えたピクセルアレイと、前記ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する垂直走査タイミング制御回路とを備えた固体撮像装置であって、前記垂直走査タイミング制御回路は、同時に選択されるリセット動作行の数に関わらず、同時に選択されるリセット動作行とリセット動作用ダミー行との合計行数が一定となるように、該リセット動作用ダミー行を選択する固体撮像装置によって達成される。
【００２５】
上記目的は、ピクセルアレイ内で、リセット動作行として選択されてから読み出し動作行として選択されるまでの間に取り込んだ信号を出力する固体撮像装置であって、選択されるリセット動作行が存在しない場合に選択される複数のリセット動作用ダミー行を有する固体撮像装置によって達成される。
【００２６】
上記目的は、ピクセルアレイ内で、リセット動作行として選択されてから読み出し動作行として選択されるまでの間に取り込んだ信号を出力する固体撮像装置であって、選択されるリセット動作行が存在しない場合に選択されるリセット動作用ダミー行を備え、前記リセット動作用ダミー行を少なくとも同時に選択されるリセット動作行の最大行数分を有する固体撮像装置によって達成される。
【発明の効果】
【００２７】
本発明によれば、画素領域を露光する積分時間が変動する場合にも、電子シャッターノイズの発生を防止し得る固体撮像装置の駆動方法を提供することができる。
【発明を実施するための最良の形態】
【００２８】
以下、この発明を具体化した一実施の形態を図面に従って説明する。図２に示すピクセルアレイ１１は、実ピクセルアレイ１２と、実ピクセルアレイ１２に隣接する３行のダミーアレイ１３とから構成される。そして、実ピクセルアレイ１２及びダミーアレイ１３は、リセット信号線ＲＳＴ、水平選択線ＳＬＣＴ及び垂直選択線ＣＬにそれぞれ接続される画素領域がマトリクス状に配列されている。各画素領域の構成は、前記従来例と同様である。
【００２９】
前記実ピクセルアレイ１２及びダミーアレイ１３は、垂直走査タイミング制御回路１４の動作に基づいて、そのリセット動作及び読み出し動作が制御される。
すなわち、垂直走査タイミング制御回路１４内のリセット制御回路から出力されるリセット信号ＲＳｎに基づいて、前記実ピクセルアレイ１２内のリセット信号線ＲＳＴが順次選択される。
【００３０】
また、垂直走査タイミング制御回路１４内の垂直走査シフトレジスタから出力される読み出し信号ＲＤｎに基づいて、前記実ピクセルアレイ１２内の水平選択線ＳＬＣＴが順次選択される。そして、選択された水平選択線ＳＬＣＴに接続された画素領域から画素データが垂直選択線ＣＬに読み出される。
【００３１】
前記垂直選択線ＣＬは、水平走査タイミング制御回路１５の動作に基づいて選択され、選択された垂直選択線ＣＬに読み出されている画素データがノイズキャンセル回路１６及び出力回路１７を介して順次出力される。
【００３２】
前記ダミーアレイ１３は、１行の読み出し動作用ダミー行１８と、２行のリセット動作用ダミー行１９ａ，１９ｂとで構成され、前記垂直走査タイミング制御回路１４の動作に基づいて制御される。
【００３３】
垂直走査タイミング制御回路１４は、撮像動作中の各フレームにおいて、実ピクセルアレイ１２内の水平選択線ＳＬＣＴの選択動作を行っていないとき、すなわち読み出し動作を行っていないとき、読み出し動作用ダミー行１８を選択し、水平選択線ＳＬＣＴの選択動作を行っているとき、読み出し動作用ダミー行１８を選択しない。
【００３４】
また、垂直走査タイミング制御回路１４は、実ピクセルアレイ１２内のリセット信号線ＲＳＴの選択動作を行っていないとき、すなわちリセット動作を行っていないとき、２行のリセット動作用ダミー行１９ａ，１９ｂを選択し、１行ずつのリセット信号線ＲＳＴの選択動作を行っているとき、１行のリセット動作用ダミー行１９ａを選択する。さらに、２行のリセット信号線ＲＳＴの選択動作を並行して行っているとき、リセット動作用ダミー行１９ａ，１９ｂを選択しない。
【００３５】
このような動作は、リセット信号線ＲＳＴ及び水平選択線ＳＬＣＴの選択信号の論理に基づいて決定される。
次に、上記のように構成された撮像装置の動作を図１に従って説明する。前記従来例と同様に、画素領域の総行数が６４０行であって、リセット動作ＡＣ１と読み出し動作ＡＣ２の行間隔Ｌが１００行、垂直ブランキング期間を４５行分としたときの動作を示す。
【００３６】
最初のフレームＦＬ１の撮像動作が開始されると、リセット信号線ＲＳＴを順次選択するリセット動作ＡＣ１が開始され、１００行分の時間ｔ１後に水平選択線ＳＬＣＴを順次選択する読み出し動作ＡＣ２が開始される。そして、時間ｔ２後にリセット動作ＡＣ１が終了し、さらに時間ｔ３後に読み出し動作ＡＣ２が終了する。さらに、４５行分の垂直ブランキング期間ｔ４が経過すると、最初のフレームＦＬ１の撮像動作が終了し、次のフレームＦＬ２のリセット動作ＡＣ１が開始される。
【００３７】
上記のような撮像動作では、各フレームにおいてまずリセット動作ＡＣ１のみが時間ｔ１で行われる。このとき、水平選択線ＳＬＣＴの選択動作は行われないので、垂直走査タイミング制御回路１４により、読み出し動作用ダミー行１８が選択される。また、リセット信号線ＲＳＴの選択動作が行われているので、垂直走査タイミング制御回路１４により、１行のリセット動作用ダミー行１９ａが選択される。従って、１行の読み出し動作行と、２行のリセット動作行とが並行して選択される状態となる。
【００３８】
次いで、時間ｔ２でリセット動作ＡＣ１と読み出し動作ＡＣ２が並行して行われる。このとき、水平選択線ＳＬＣＴの選択動作が行われるので、垂直走査タイミング制御回路１４により、読み出し動作用ダミー行１８の選択は行われない。また、リセット信号線ＲＳＴの選択動作が行われているので、垂直走査タイミング制御回路１４により、１行のリセット動作用ダミー行１９ａが選択される。従って、１行の読み出し動作行と、２行のリセット動作行とが並行して選択される状態となる。
【００３９】
次いで、時間ｔ３で読み出し動作ＡＣ２のみが行われる。このとき、水平選択線ＳＬＣＴの選択動作が行われるので、垂直走査タイミング制御回路１４により、読み出し動作用ダミー行１８の選択は行われない。また、リセット信号線ＲＳＴの選択動作が行われないので、垂直走査タイミング制御回路１４により、２行のリセット動作用ダミー行１９ａ，１９ｂが選択される。従って、１行の読み出し動作行と、２行のリセット動作行とが並行して選択される状態となる。
【００４０】
撮像動作中に被写体の輝度が低下して、各画素領域の積分時間が増大され、フレームＦＬ４でリセット動作ＡＣ１と読み出し動作ＡＣ２との時間ｔ５が例えば５００行分となるとき、一定周期の読み出し動作ＡＣ２に対し、リセット動作ＡＣ１が５００行分先行して行われる。そして、フレームＦＬ３と同ＦＬ４のリセット動作ＡＣ１が並行して行われる時間ｔ５が発生する。
【００４１】
すると、時間ｔ５においては、２本ずつのリセット信号線ＲＳＴの選択動作と、１本ずつの水平選択線ＳＬＣＴの選択動作とが並行して行われることになる。このとき、水平選択線ＳＬＣＴの選択動作が行われるので、垂直走査タイミング制御回路１４により、読み出し動作用ダミー行１８の選択は行われない。また、２本のリセット信号線ＲＳＴの選択動作が行われるので、垂直走査タイミング制御回路１４により、リセット動作用ダミー行は選択されない。従って、１行の読み出し動作行と、２行のリセット動作行とが並行して選択される状態となる。
【００４２】
上記のように構成された撮像装置では、次に示す作用効果を得ることができる。
（１）撮像動作を行う各フレームにおいて、リセット動作ＡＣ１と、読み出し動作ＡＣ２とが一定の時間ｔ１で行われる状態では、読み出し動作ＡＣ２が行われないときには読み出し動作用ダミー行が選択され、リセット動作ＡＣ１か行われないときには、リセット動作用ダミー行が選択される。従って、リセット動作ＡＣ１のみがおこなわれるときと、読み出し動作ＡＣ２のみがおこなわれるときと、リセット動作ＡＣ１及び読み出し動作ＡＣ２とが並行しておこなわれるときと、リセット動作ＡＣ１及び読み出し動作ＡＣ２が行われないときの電源ＶDDに対する負荷の変動を抑制することができる。従って、撮像画面上での電子シャッターノイズの発生を防止することができる。
（２）２行のリセット動作用ダミー行１９ａ，１９ｂを設け、リセット動作ＡＣ１が行われないときには２行のリセット動作用ダミー行１９ａ，１９ｂを選択し、リセット動作ＡＣ１が１行ずつ行われるときには１行のリセット動作用ダミー行１９ａを選択し、リセット動作ＡＣ１が２行ずつ行われるときにはリセット動作用ダミー行を選択しない。従って、選択されるリセット動作行とリセット動作用ダミー行との合計を常時２行として、電源ＶDDに対する負荷の変動を抑制することができる。
（３）上記作用により、撮像動作中に、連続する２つのフレームのリセット動作ＡＣ１が並行しておこなわれるときにも、電源ＶDDに対する負荷の変動を抑制することができる。
（４）読み出し動作用ダミー行１８あるいはリセット動作用ダミー行１９ａ，１９ｂを選択するとき、同一のダミー行が繰り返し連続して選択される。従って、読み出し動作あるいはリセット動作を行う実ピクセルアレイ１２内の各行に対し、常に同一条件のダミー動作が付加されるので、ノイズキャンセル回路１６でのノイズ除去効果を向上させることができる。すなわち、特許文献１に示すように、複数のダミー行を順次選択する場合には、各ダミー行の動作条件（露光条件）が同一とはならない可能性がある。従って、この実施の形態では、各垂直選択線ＣＬから連続して読み出される撮像データを順次加算してノイズ除去を行う相関二重サンプリング法に基づくノイズ除去動作をノイズキャンセル回路１６で行うとき、各ダミー行の積分時間は常時１行分となって動作条件が揃うので、ノイズ除去効果を向上させることができる。
【００４３】
上記実施の形態は、次に示すように変更することも可能である。
・読み出し動作用ダミー行を２行以上とし、リセット動作用ダミー行を３行以上としてもよい。
・上記実施の形態では、同時に複数のリセット行が動作する場合に、複数のリセット用のダミー行を用意するものを説明したが、同時に複数の読み出し行が動作する場合にも負荷の変動については同様の問題点があるものと考えられる。この場合、リセットの場合と同様に複数の読み出し用のダミー行を用意することでこの問題点を解決することができる。
（付記１）
ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、
同時に選択されるリセット動作行の数に関わらず、同時に選択されるリセット動作行とリセット動作用ダミー行との合計行数が一定となるように、該リセット動作用ダミー行を選択することを特徴とする固体撮像装置の駆動方法。
（付記２）
ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、
同時に選択される読み出し動作行とリセット動作行の数に関わらず、読み出し動作行と、読み出し動作用ダミー行と、リセット動作行と、リセット動作用ダミー行との合計行数が一定となるように、該リセット動作用ダミー行を選択することを特徴とする固体撮像装置の駆動方法。
（付記３）
ピクセルアレイ内で、リセット動作行と読み出し動作行とを積分時間に基づく行間隔を隔てて順次選択するローリングシャッター動作を行い、リセット動作行あるいは読み出し動作行を選択しないとき、リセット動作用ダミー行あるいは読み出し動作用ダミー行を選択する固体撮像装置の駆動方法であって、
リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しないことを特徴とする固体撮像装置の駆動方法。
（付記４）
実ピクセルアレイと、ダミーアレイとを備えたピクセルアレイと、
前記ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する垂直走査タイミング制御回路と
を備えた固体撮像装置であって、
前記垂直走査タイミング制御回路は、同時に選択されるリセット動作行の数に関わらず、同時に選択されるリセット動作行とリセット動作用ダミー行との合計行数が一定となるように、該リセット動作用ダミー行を選択することを特徴とする固体撮像装置。
（付記５）
前記垂直走査タイミング制御回路は、
同時に選択される読み出し動作行とリセット動作行の数に関わらず、読み出し動作行と、読み出し動作用ダミー行と、リセット動作行と、リセット動作用ダミー行との合計行数が一定となるように、該リセット動作用ダミー行を選択することを特徴とする付記４記載の固体撮像装置。
（付記６）
前記垂直走査タイミング制御回路は、
リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しないことを特徴とする付記５記載の固体撮像装置の駆動方法。
（付記７）
前記垂直走査タイミング制御回路は、
読み出し動作行を選択しないとき、読み出し動作用ダミー行を選択し、読み出し動作行を選択するとき、読み出し動作用ダミー行を選択せず、リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しないことを特徴とする付記５記載の固体撮像装置。
（付記８）
前記ダミーアレイは、１行の読み出し動作用ダミー行と、２行のリセット動作用ダミー行とを備え、
前記垂直走査タイミング制御回路は、前記読み出し動作用ダミー行及びリセット動作用ダミー行を選択するとき、同一のダミー行を連続して選択することを特徴とする付記４乃至８のいずれか１項に記載の固体撮像装置の駆動方法。
（付記９）
ピクセルアレイ内で、リセット動作行として選択されてから読み出し動作行として選択されるまでの間に取り込んだ信号を出力する固体撮像装置であって、
選択されるリセット動作行が存在しない場合に選択される複数のリセット動作用ダミー行を有することを特徴とする固体撮像装置。
（付記１０）
ピクセルアレイ内で、リセット動作行として選択されてから読み出し動作行として選択されるまでの間に取り込んだ信号を出力する固体撮像装置であって、
選択されるリセット動作行が存在しない場合に選択されるリセット動作用ダミー行を備え、前記リセット動作用ダミー行を少なくとも同時に選択されるリセット動作行の最大行数分を有することを特徴とする固体撮像装置。
（付記１１）
ピクセルアレイ内で、リセット動作行と読み出し動作行とを積分時間に基づく行間隔を隔てて順次選択するローリングシャッター動作を行い、リセット動作行あるいは読み出し動作行を選択しないとき、ダミー行を選択する固体撮像装置の駆動方法であって、
読み出し動作行を選択しないとき、読み出し動作用ダミー行を選択し、読み出し動作行を選択するとき、読み出し動作用ダミー行を選択せず、リセット動作行を選択しないとき、２行のリセット動作用ダミー行を選択し、１行ずつのリセット動作行を選択するとき、１行ずつのリセット動作用ダミー行を選択し、２行ずつのリセット動作行を選択するとき、リセット動作用ダミー行を選択しないことを特徴とする固体撮像装置の駆動方法。
（付記１２）
前記読み出し動作用ダミー行及びリセット動作用ダミー行を選択するとき、同一のダミー行を連続して選択することを特徴とする付記１，２，３，１０のいずれか１項に記載の固体撮像装置の駆動方法。
【図面の簡単な説明】
【００４４】
【図１】一実施の形態のダミー行選択動作を示すタイミング図である。
【図２】ピクセルアレイを示す概念図である。
【図３】画素領域を示す回路図である。
【図４】ローリングシャッター動作を示す概念図である。
【図５】従来のダミー行選択動作を示すタイミング図である。
【符号の説明】
【００４５】
１１        ピクセルアレイ
１２        実ピクセルアレイ
１３        ダミーアレイ
１４        垂直走査タイミング制御回路
１５        水平走査タイミング制御回路
１８        読み出し動作用ダミー行
１９ａ，１９ｂ      リセット動作用ダミー行
【図１】
2005269098.tif 000003
【図２】
2005269098.tif 000004
【図３】
2005269098.tif 000005
【図４】
2005269098.tif 000006
【図５】
2005269098.tif 000007